(57)【要約】【課題】レンズ枠の径方向のガタつきを防止する。【解決手段】第１の筒状部材（１０）の内周面に摺動可能に設けられる第２の筒状部材（２０）と、第２の筒状部材（２０）の内周面に摺動可能に設けられ、第１の筒状部材（１０）と第２の筒状部材（２０）との相対移動により、第１の筒状部材（１０）又は第２の筒状部材（２０）に対して移動するレンズ枠（３０）と、第２の筒状部材（２０）とレンズ枠（３０）との間に設けられ、レンズ枠（３０）を第２の筒状部材（２０）の内周面（２０ａ）に付勢する付勢手段（４０）とを備えている。【選択図】図１
2009008903.tif 000002
【特許請求の範囲】
【請求項１】
第１の筒状部材の内周面に摺動可能に設けられる第２の筒状部材と、
前記第２の筒状部材の内周面に摺動可能に設けられ、前記第１の筒状部材と前記第２の筒状部材との相対移動により、前記第１の筒状部材又は前記第２の筒状部材に対して移動するレンズ枠と、
前記第２の筒状部材と前記レンズ枠との間に設けられ、前記レンズ枠を前記第２の筒状部材の内周面に付勢する付勢手段と
を備えていることを特徴とするレンズ鏡筒。
【請求項２】
前記付勢手段は弾性体であることを特徴とする請求項１記載のレンズ鏡筒。
【請求項３】
前記第２の筒状部材は前記レンズ枠との摺動部に切欠部分を有し、前記付勢手段は前記レンズ枠を前記切欠部分とは異なる部分に付勢することを特徴とする請求項１又は２記載のレンズ鏡筒。
【発明の詳細な説明】
【技術分野】
【０００１】
この発明はレンズ鏡筒に関する。
【背景技術】
【０００２】
従来のレンズ鏡筒として特開平８−２９７２３４号公報に記載されたものが知られている。
【０００３】
このレンズ鏡筒では、一方のレンズ枠を他方のレンズ枠の内周に摺動可能に設け、両レンズ枠間に光軸方向へ圧縮力が働く圧縮バネとしての弦巻バネを配置し、両レンズ枠を反対方向へ付勢することで、他方のレンズ枠のガタつきを防止している。
【特許文献１】特開平８−２９７２３４号公報
【発明の開示】
【発明が解決しようとする課題】
【０００４】
しかし、例えばズーミング時等に他方のレンズ枠の径方向のガタが生じ、そのレンズ枠が倒れ、光学性能が劣化することがある。
【０００５】
この発明の課題はレンズ枠の径方向のガタつきを防止することである。
【課題を解決するための手段】
【０００６】
上記課題を解決するため請求項１記載の発明は、第１の筒状部材の内周面に摺動可能に設けられる第２の筒状部材と、前記第２の筒状部材の内周面に摺動可能に設けられ、前記第１の筒状部材と前記第２の筒状部材との相対移動により、前記第１の筒状部材又は前記第２の筒状部材に対して移動するレンズ枠と、前記第２の筒状部材と前記レンズ枠との間に設けられ、前記レンズ枠を前記第２の筒状部材の内周面に付勢する付勢手段とを備えていることを特徴とする。
【０００７】
請求項２に記載の発明は、請求項１記載のレンズ鏡筒において、前記付勢手段は弾性体であることを特徴とする。
【０００８】
請求項３に記載の発明は、請求項１又は２記載のレンズ鏡筒において、前記第２の筒状部材は前記レンズ枠との摺動部に切欠部分を有し、前記付勢手段は前記レンズ枠を前記切欠部分とは異なる部分に付勢することを特徴とする。
【発明の効果】
【０００９】
この発明によれば、レンズ枠の径方向のガタつきを防止することができる。
【発明を実施するための最良の形態】
【００１０】
以下、この発明の実施の形態を図面に基づいて説明する。
【００１１】
図１はこの発明の一実施形態に係るレンズ鏡筒の一部の縦断面を示す概念図、図２はレンズ鏡筒の横断面を示す概念図である。
【００１２】
このレンズ鏡筒は固定部材（第１の筒状部材）１０と回転部材（第２の筒状部材）２０とレンズ枠３０と弾性体（付勢手段）４０とを備えている。
【００１３】
固定部材１０には光軸方向へ延びる直進溝１１が形成されている。
【００１４】
固定部材１０には、フォーカス連動板７３を光軸Ｌを中心として回転させたときフォーカス連動板７３と固定部材１０とが干渉しないように切欠２６が形成されている。切欠２６の周方向の寸法はフォーカス連動板７３の回転量より大きい。
【００１５】
なお、図２では、Ｐ１はフォーカス位置が無限遠側にあるときのフォーカス連動板７３の位置を示し、Ｐ２はフォーカス位置が至近側にあるときのフォーカス連動板７３の位置を示す。
【００１６】
回転部材２０は固定部材１０の内周面に摺動可能に設けられている。回転部材２０には直進溝１１とクロスする３つのカム溝２１が形成されている。また、回転部材２０のレンズ枠３０との摺動部２０ｂにフォーカス連結ピン７１を周方向へ移動させるための切欠（切欠部分）２５が形成されている。切欠２５の周方向の寸法はフォーカス連結ピン７１の回転量より大きい。
【００１７】
レンズ枠３０は回転部材２０の内周面に摺動可能に設けられている。レンズ枠３０には第３レンズＬ３が保持されている。
【００１８】
レンズ枠３０には、固定部材１０の直進溝１１、回転部材２０のカム溝２１に係合する第１連結部材５０が取り付けられている。第１連結部材５０は円筒軸受６１とローラピン６０とからなり、レンズ枠３０の周方向へ等間隔に取り付けられている。
【００１９】
レンズ枠３０の内周面にはフォーカシングのためのフォーカスレンズ枠７０が摺動可能に設けられている。
【００２０】
フォーカスレンズ枠７０には第１レンズＬ１、第２レンズＬ２が保持されている。また、フォーカスレンズ枠７０には２本の第２連結部材５１とフォーカス連結ピン７１とが取り付けられている。
【００２１】
２本の第２連結部材５１とフォーカス連結ピン７１とはフォーカスレンズ枠７０の周方向へ等間隔に取り付けられている。
【００２２】
フォーカス連結ピン７１の一端はフォーカス連動板７３に形成された、光軸Ｌ方向へ延びる溝７４に係合している。フォーカス連動板７３は固定部材１０に回転可能に取り付けられたフォーカス環７２から光軸Ｌ方向へ延びる。フォーカス連動板７３はフォーカス環７２にビス（図示せず）で固定されている。
【００２３】
また、フォーカス連結ピン７１の中間部と第２連結部材５１の一端とはレンズ枠３０に形成されたリード溝３１に係合している。
【００２４】
弾性体４０は回転部材２０とレンズ枠３０との間に設けられている。弾性体４０は例えばシリコンゴムであり、レンズ枠３０に接着等によって固定される。弾性体４０の付勢力によってレンズ枠３０が回転部材２０の内周面２０ａに付勢される。弾性体４０は切欠２５の近傍に位置する。
【００２５】
なお、この実施形態では、弾性体４０は１つであるが、弾性体４０の付勢力によってレンズ枠３０を回転部材２０の内周面２０ａに付勢することができる位置であれば、弾性体４０は２つ以上としてもよい。弾性体４０によって、回転部材２０とレンズ枠３０との間のガタを確実に防止し、光軸Ｌを基準としてレンズ枠３０を調芯することができる。
【００２６】
次に、ズーミング動作を説明する。
【００２７】
ズーミング時、ズーム操作環（図示せず）又はモータ（図示せず）等の動力源から駆動力が回転部材２０に作用すると、カム溝２１、第１連結部材５０を介して回転部材２０の回転力がレンズ枠３０に伝達される。第１連結部材５０は固定部材１０の直進溝１１に係合しているため、レンズ枠３０は回転することなくフォーカスレンズ枠７０と一体に光軸Ｌ方向へ移動する。
【００２８】
その結果、レンズＬ１，Ｌ２，Ｌ３が光軸方向へ移動し、観察対象に対してズーミングが行われる。
【００２９】
次に、フォーカシング動作を説明する。
【００３０】
フォーカシング時、フォーカス操作環（図示せず）又はモータ（図示せず）等の動力源から駆動力がフォーカス環７２に作用すると、フォーカス連動板７３、フォーカス連結ピン７１を介してフォーカス環７２の回転力がフォーカスレンズ枠７０に伝達される。
【００３１】
フォーカスレンズ枠７０に回転力が伝わると、フォーカスレンズ枠７０はレンズ枠３０に対して光軸方向へ移動する。
【００３２】
その結果、レンズＬ１，Ｌ２が光軸Ｌ方向へ移動し、観察対象に対してフォーカス動作が行われる。
【００３３】
この実施形態によれば、弾性体４０を回転部材２０とレンズ枠３０との間に設け、弾性体４０の付勢力によってレンズ枠３０が回転部材２０の内周面２０ａに付勢されているので、レンズ枠３０が切欠２５から突出する方向（図２の矢印で示す方向）へ付勢されず、ズーミング、フォーカシング時等のレンズ枠３０と回転部材２０との間の径方向のガタつきを防止することができる。その結果、レンズの倒れが防止され光学性能の劣化が防止される。また、レンズ枠３０は弾性体４０の付勢力によって常に一定方向へ付勢され、回転部材２０の内周面２０ａに押し付けられているので、例えば横位置撮影から縦位置撮影（カメラを縦に構えての撮影）に撮影姿勢を変えたときであってもレンズ枠３０と回転部材２０との間の径方向のガタが発生しない。その結果、撮影姿勢を変えることに起因するレンズの倒れが防止され光学性能の変化を防止できる。更に、すべりの良いシリコンゴムからなる弾性体４０を回転部材２０とレンズ枠３０との間に設けたので、ズーミングやフォーカシングの作動がスムーズになる。
【図面の簡単な説明】
【００３４】
【図１】図１はこの発明の一実施形態に係るレンズ鏡筒の一部の縦断面を示す概念図である。
【図２】図２はレンズ鏡筒の横断面を示す概念図である。
【符号の説明】
【００３５】
１０：固定部材（第１の筒状部材）、２０：回転部材（第２の筒状部材）、２０ａ：内周面、２０ｂ：摺動部、２５：切欠（切欠部分）、３０：レンズ枠、４０：弾性体（付勢手段）。
【図１】
2009008903.tif 000003
【図２】
2009008903.tif 000004